(57)【特許請求の範囲】
【請求項１】
フロアパネルを上方に押し上げて、支持台から前記フロアパネルを取り外すことができる押上手段を備え、
略円筒状の前記支持台の上面側には、長さ方向が前記支持台の半径方向に伸び、上面が前記フロアパネルを支持する前記支持台の上面と略同じ高さに形成された平板部と、前記平板部と一体形成され、前記平板部の長さ方向の途中位置の下面から下方に伸び、そのまま前記支持台の外周面の一部を形成する脚部を備えた前記押上手段が形成された
ことを特徴とするフリーアクセスフロア。
【請求項２】
前記平板部の長さ方向の一端部を下方に押すことにより、前記平板部と前記脚部の上端部が連続する部分が弾性変形して、前記平板部の長さ方向の他端部が上方に持ち上がるように前記脚部の上端部を支点として回動する前記押上手段が形成された
ことを特徴とする請求項１に記載のフリーアクセスフロア。
【請求項３】
フロアパネルを上方に押し上げて、支持台から前記フロアパネルを取り外すことができる押上手段を備え、
前記フロアパネルの天板部には、下方に向かって傾斜する受板部が形成され、
前記支持台の上面側には、上端部が前記支持台の外周側に向かって移動可能な前記押上手段が形成され、
前記押上手段の上端部を前記支持台の外周側に向かって移動させることにより、前記押上手段の上端面が前記天板部の前記受板部の下面に接触して前記受板部の傾斜に沿うように移動することにより、前記受板部を上方に向けて押圧して、前記フロアパネルを上方に押し上げる
ことを特徴とするフリーアクセスフロア。
【発明の詳細な説明】
【技術分野】
【０００１】
本発明は、オフィスルーム等の部屋の床部に敷設されるフリーアクセスフロアに関するものである。
【背景技術】
【０００２】
本発明のフリーアクセスフロアは、コンクリート基礎床面の上方に、その床面から空間を隔てて第２の床面を形成するために設けられるものである（例えば、特許文献１参照）。
【０００３】
図４０から図４８は、従来のフリーアクセスフロア２について説明するために参照する図である。
【０００４】
図４０は、オフィスルーム等の部屋の床部に敷設された従来のフリーアクセスフロア２の平面図である。この従来のフリーアクセスフロア２の敷設作業の途中段階において、図４１に示すように、工場等において予め形成された複数のパネルユニット４を、互いに間隔を空けて基礎床面６上に配置する作業が行なわれていた。パネルユニット４は、２枚のフロアパネル８と、図４２，４３に示すような支持台ユニット１０とを備えて構成されていた。
【０００５】
支持台ユニット１０は、水平面上の縦方向及び横方向に３行３列に並んで配置された９つの支持台１２（図４２参照）と、支持台１２のそれぞれを支持する９つの支持部１４（図４３参照）と、互いに隣合う支持部１４同士を一定の間隔を置いて連結する連結部１６を備えて構成されていた。
【０００６】
支持台１２は、図４３に示すように、その下端部が支持部１４に形成された凹部に上方から嵌入されていた。また、支持台１２のそれぞれは、図４２中上下左右に隣合う別の支持台１２との互いの中心部間の間隔が、略長方形の上面を有するフロアパネル８の短辺Ｌ１（図４５参照）の長さ寸法とほぼ同じ長さになるように、互いに離れて配置されていた。
【０００７】
支持台１２は、図４４にその上面図を示すように、その上端面１２ａから同図中紙面奥側に深さを有するように開口して、後述するフロアパネル８の側板部８ｃ（図４５参照）に係合可能な４本の溝部１２ｂが井桁状に形成されていた。
【０００８】
すなわち、支持台１２に形成された４本の溝部１２ｂの内の２本の溝部１２ｂは、図４４中上下方向に互いに略平行に伸びるように配置され、他の２本の溝部１２ｂは、同図中左右方向に互いに略平行に伸びるように配置されていた。
【０００９】
そして、上記上下方向に伸びる２本の溝部１２ｂと、上記左右方向に伸びる２本の溝部１２ｂは、支持台１２の上端面１２ａの略中央部付近において直交していた。
【００１０】
図４５に示すように、フロアパネル８は、１枚の金属製の板状部材をプレス加工することにより形成されており、略長方形の上面８ａを有する板状に形成された天板部８ｂと、この天板部８ｂの周部四辺より略垂直下方に折曲げられて形成された４つの側板部８ｃ（図４６，４７参照）を備えて構成されていた。そして、１枚のフロアパネル８が６個の支持台１２上に載置されるようになっていた（図４１参照）。
【００１１】
このような従来のフロアパネル８は、図４８に示すように、その側板部８ｃが支持台１２の溝部１２ｂに図中上方から嵌入して、天板部８ｂの上面８ａの裏面が支持台１２の上端面１２ａに接触することにより、基礎床面６上の所定の高さ位置に着脱自在に支持されていた。
【００１２】
図４５に示すフロアパネル８の四隅においては、長さ方向が互いに直交するように形成された２つの側板部８ｃの端部が、図４４における支持台１２の上端面１２ａの上下方向に伸びる１本の溝部１２ｂと、その溝部１２ｂに隣合うと共に、図４４中左右方向に伸びる１本の溝部１２ｂにより形成されたＬ字状の溝部１２ｂ内に嵌入していた（図４１参照）。
【００１３】
また、フロアパネル８の長辺Ｌ２（図４５参照）の中央部においては、フロアパネル８の側板部８ｃが、その側板部８ｃの長さ方向に対して平行に形成された支持台１２の１本の溝部１２ｂ内（図４４中上下又は左右方向に伸びる１本の溝部１２ｂ内）に嵌入していた（図４１参照）。
【００１４】
そして、図４１に示すように、フロアパネル８は、９つの支持台１２上に、互いの天板部８ｂの隅部を突き合わせるようにして２枚並べて載置されていた。
【００１５】
また、図４０に示すように、パネルユニット４の外周側における、フロアパネル８より水平方向外側に突出している支持台１２の上端面１２ａ上には、互いに間隔を置いて配置された複数のパネルユニット４の間を埋めるように別のフロアパネル８、及び略正方形の上面を有するフロアパネル９が載置されていた。
【００１６】
このため、フリーアクセスフロア２の敷設作業が完了すると、フロアパネル８，９が図４０中上下方向及び左右方向に隙間無く並んで配置されて、基礎床面６の上方に空間を隔てて第２の床面を形成するようになっていた。そして、フロアパネル８の天板部８ａと基礎床面６との間の空間に配線等のケーブルを配置することができるようになっていた。
【００１７】
また、前記従来のフリーアクセスフロア２においては、例えばパネルユニット４を工場から敷設する部屋まで持ち運んでいる途中や、基礎床面６に不陸面が形成されていた場合に、フロアパネル８と支持台１２が容易に分離することがないように、フロアパネル８の側板部８ｃが支持台１２の溝部１２ｂに固く嵌入していた。
【先行技術文献】
【特許文献】
【００１８】
【特許文献１】特許第２７７８５３８号公報
【発明の概要】
【発明が解決しようとする課題】
【００１９】
しかしながら、前記従来のフリーアクセスフロア２においては、前述のようにフロアパネル８の側板部８ｃが支持台１２の溝部１２ｂに嵌入するように構成されていたため、床下配線のメンテナンス等の際に、支持台１２からフロアパネル８を取り外しづらいという問題があった。
【００２０】
そこで本発明は、上記問題点に鑑みて、支持台１２からフロアパネル８を容易に取り外すことができるフリーアクセスフロアを提供することを課題とするものである。
【課題を解決するための手段】
【００２１】
上記課題を解決するために、本発明によるフリーアクセスフロアは、
フロアパネルを上方に押し上げて、支持台から前記フロアパネルを取り外すことができる押上手段を備え、
略円筒状の前記支持台の上面側には、長さ方向が前記支持台の半径方向に伸び、上面が前記フロアパネルを支持する前記支持台の上面と略同じ高さに形成された平板部と、前記平板部と一体形成され、前記平板部の長さ方向の途中位置の下面から下方に伸び、そのまま前記支持台の外周面の一部を形成する脚部を備えた前記押上手段が形成されたことを特徴とするものである。
【００２２】
また、本発明によるフリーアクセスフロアは、
前記平板部の長さ方向の一端部を下方に押すことにより、前記平板部と前記脚部の上端部が連続する部分が弾性変形して、前記平板部の長さ方向の他端部が上方に持ち上がるように前記脚部の上端部を支点として回動する前記押上手段が形成されたことを特徴とするものである。
【００２３】
また、本発明によるフリーアクセスフロアは、
フロアパネルを上方に押し上げて、支持台から前記フロアパネルを取り外すことができる押上手段を備え、
前記フロアパネルの天板部には、下方に向かって傾斜する受板部が形成され、
前記支持台の上面側には、上端部が前記支持台の外周側に向かって移動可能な前記押上手段が形成され、
前記押上手段の上端部を前記支持台の外周側に向かって移動させることにより、前記押上手段の上端面が前記天板部の前記受板部の下面に接触して前記受板部の傾斜に沿うように移動することにより、前記受板部を上方に向けて押圧して、前記フロアパネルを上方に押し上げることを特徴とするものである。
【発明の効果】
【００２４】
このような本発明のフリーアクセスフロアによれば、
フロアパネルを上方に押し上げて、支持台から前記フロアパネルを取り外すことができる押上手段を備え、
略円筒状の前記支持台の上面側には、長さ方向が前記支持台の半径方向に伸び、上面が前記フロアパネルを支持する前記支持台の上面と略同じ高さに形成された平板部と、前記平板部と一体形成され、前記平板部の長さ方向の途中位置の下面から下方に伸び、そのまま前記支持台の外周面の一部を形成する脚部を備えた前記押上手段が形成されたことにより、
支持台からフロアパネルを容易に取り外すことができる。
【図面の簡単な説明】
【００２５】
【図１】本発明の第１の実施の形態に係るフリーアクセスフロア２０における、フロアパネル２８の側板部２８ｃが支持台２２に嵌入している部分を示す斜視図である。
【図２】図１に示すフロアパネル２８の斜視図である。
【図３】図２に示すフロアパネル２８の上面図である。
【図４】図２に示すフロアパネル２８の一部を省略して示す側面図である。
【図５】図３に示すフロアパネル２８のＡ−Ａ線矢視断面図である。
【図６】図３に示すフロアパネル２８のＢ−Ｂ線矢視断面図である。
【図７】図１に示す支持台２２の斜視図である。
【図８】図７に示す支持台２２の上面図である。
【図９】図８に示す支持台２２の左上部分を拡大して示す部分拡大図である。
【図１０】図７に示す支持台２２の側面図である。
【図１１】図８に示す支持台２２のＣ−Ｃ線矢視断面図である。
【図１２】図１１に示す支持台２２の突出部２４が弾性変形して、突出部２４の突起２４ａと、突出部２５の間の間隔が広がった状態を示す図である。
【図１３】図８に示す支持台２２のＤ−Ｄ線矢視断面図である。
【図１４】図１３に示す支持台２２の一端部に下方に力を加えた場合、他端部が上方に持ち上がった状態を示す図である。
【図１５】図１のフリーアクセスフロア２０の上面図である。
【図１６】図１５に示すフリーアクセスフロア２０のＥ−Ｅ線矢視断面図である。
【図１７】図１６に示すフリーアクセスフロア２０のフロアパネル２８の貫通孔２８ｅと、支持台２２の突出部２４の突起２４ａが係合する部分を拡大して示す部分拡大図である。
【図１８】図１７に示すフリーアクセスフロア２０において、フロアパネル２８の側板部２８ｃを支持台２２の溝部２２ｂに嵌入する際に、突出部２４を弾性変形させることにより、突出部２４の突起２４ａと突出部２５との間の間隔が広がった状態を示す図である。
【図１９】図１５に示すフリーアクセスフロア２０のＦ−Ｆ線矢視断面図である。
【図２０】図１９に示すフリーアクセスフロア２０の左側部分を拡大して示す部分拡大図である。
【図２１】図２０に示すフリーアクセスフロア２０において、棒状部材３０により支持台２２の押上部２３の一端部に力を加えることにより、押上部２３の他端部が上昇して、フロアパネル２８が持ち上がった状態を示す図である。
【図２２】本発明の第２の実施の形態に係るフリーアクセスフロア４０における、支持台４２の斜視図である。
【図２３】本発明の第３の実施の形態に係るフリーアクセスフロア６０における、フロアパネル６８の側板部６８ｃが支持台６２に嵌入している部分を示す斜視図である。
【図２４】図２３に示すフロアパネル６８の斜視図である。
【図２５】図２４に示すフロアパネル６８の上面図である。
【図２６】図２４に示すフロアパネル６８の側面図である。
【図２７】図２５に示すフロアパネル６８のＧ−Ｇ線矢視断面図である。
【図２８】図２３に示す支持台６２の斜視図である。
【図２９】図２８に示す支持台６２の上面図である。
【図３０】図２９に示す支持台２２の左下部分を拡大して示す部分拡大図である。
【図３１】図２８に示す支持台６２の側面図である。
【図３２】図２９に示す支持台６２のＨ−Ｈ線矢視断面図である。
【図３３】図３２に示す支持台６２の左上部分を拡大して示す部分拡大図である。
【図３４】図３３に示す支持台６２の可動部６７を弾性変形させた状態を示す図である。
【図３５】図２３のフリーアクセスフロア６０の上面図である。
【図３６】図３５に示すフリーアクセスフロア６０のＩ−Ｉ線矢視断面図である。
【図３７】図３６に示すフリーアクセスフロア６０の左上部分を拡大して示す部分拡大図である。
【図３８】棒状部材７０により可動部６７を弾性変形させた際に、支持台６２の押上部６７ｂがフロアパネル６８の受板部６８ｆを押圧することにより、フロアパネル６８が持ち上がった状態を示す図である。
【図３９】本発明の第４の実施の形態に係るフリーアクセスフロア８０における、フロアパネル８８の側板部８８ｃが支持台２２に嵌入している部分を示す斜視図である。
【図４０】従来のフリーアクセスフロア２を示す平面図である。
【図４１】図４０に示す従来のフリーアクセスフロア２の敷設作業の途中段階にあるものを示す図であって、パネルユニット４が基礎床面６上に配置された状態を示す平面図である。
【図４２】図４１中の支持台ユニット１０だけを取り出して示すその平面図である。
【図４３】図４２に示す支持台ユニット１０の側面図である。
【図４４】図４２中の支持台１２の平面図である。
【図４５】図４１中のフロアパネル８の上面図である。
【図４６】図４５のフロアパネル８の側面図である。
【図４７】図４５におけるフロアパネル８のＪ−Ｊ線矢視断面図である。
【図４８】図４１におけるパネルユニット４の側面の一部を拡大して示す部分拡大側面図である。
【発明を実施するための形態】
【００２６】
以下、本発明に係るフリーアクセスフロアを実施するための形態について、図面に基づいて具体的に説明する。
【００２７】
図１から図２１は、本発明の第１の実施の形態に係るフリーアクセスフロア２０について説明するために参照する図である。以下、前記従来のフリーアクセスフロア２と同様の部分には同じ符号を付して説明し、従来と同様の構成についての重複する説明は一部を除き省略する。
【００２８】
本実施の形態に係るフリーアクセスフロア２０は、図４５〜４７に示す前記従来のフリーアクセスフロア２のフロアパネル８の代わりに、図２〜６に示すようなフロアパネル２８を備え、図４２〜４４に示す前記従来のフリーアクセスフロア２の支持台１２の代わりに、図７〜１４に示すような支持台２２を備えている点において、前記従来のフリーアクセスフロア２と異なるものである。その他の構成は、前記従来のフリーアクセスフロア２と同様である。
【００２９】
フロアパネル２８は、１枚の金属製の板状部材をプレス加工することにより形成されており、図３に示すように、略正方形の上面２８ａを有する板状に形成された天板部２８ｂと、この天板部２８ｂの四辺より略垂直下方に折曲げられて形成された４つの側板部２８ｃ（図４〜６参照）を備えて構成されている。
【００３０】
また、図３に示すように、フロアパネル２８の天板部２８ｂの対角線上の２つの隅部から、少しフロアパネル２８の中央側に寄せられた位置には、その板厚方向（図６中上下方向）に貫通すると共に、その開口形状が略円形状の貫通孔２８ｄがそれぞれ形成されている。
【００３１】
また、図２に示すように、フロアパネル２８の貫通孔２８ｄが形成された位置から近い２つの隅部それぞれにおける、互いに直交する２つの側板部２８ｃの長さ方向端部には、側板部２８ｃの板厚方向（図５中左右方向）に貫通すると共に、その開口形状が略円形状（図６参照）の貫通孔２８ｅがそれぞれ形成されている。
【００３２】
支持台２２は、図７に示すように、その外形形状が略円柱状に形成されており、その上端部には、中心角が略９０度の扇形状の上面を有する平板部２６ａ（図８，１１参照）と、平板部２６ａの円周方向両端部の２つの辺部から、支持台２２の高さ途中に形成された水平面２２ｃまで下方に伸びる脚部２６ｂ（図１１参照）を有する支持部２６が、支持台２２の円周方向に略９０度の間隔を置いて２つ形成されている。
【００３３】
また、図７に示すように、支持台２２の上端部には、中心角が略４５度の扇形状の上面を有する平板部２７ａ（図８，１１参照）と、平板部２７ａの円周方向両端部の２つの辺部から、支持台２２の高さ途中に形成された水平面２２ｃまで下方に伸びる脚部２７ｂ（図１１参照）を有する支持部２７が、支持台２２の円周方向に間隔を置いて４つ形成されている。
【００３４】
４つの支持部２７は、図８に示すように、支持台２２の円周方向に略９０度の間隔を置いて形成された２つの支持部２６の間に、２つずつ対となるように配置されている。また、その対となるように配置された２つの支持部２７の間には、後述する押上部２３（押上手段）が形成されている。
【００３５】
したがって、支持台２２は、図１１に示すように、略円筒状の本体胴部２２ａの上端部を、２つの支持部２６、４つの支持部２７、及び後述する押上部２３の平板部２３ｂ（図１３参照）により蓋をしているような形状に形成されている。
【００３６】
また、図８に示すように、支持台２２の円周方向に互いに間隔を空けて形成された支持部２６と支持部２７の間には、略長方形状の垂直断面形状を有する突出部２５（図１１参照）が、水平面２２ｃから上方に突出するように形成されている。
【００３７】
突出部２５は、図８に示すように、支持台２２の円周方向に略９０度の間隔を空けて合計４つ形成され、その４つの突出部２５は、支持台２２の中央部において互いに連結するように一体的に形成されている。
【００３８】
また、図１１に示すように、突出部２５は、その上面２５ａの高さ位置が、支持部２６の平板部２６ａの上面、及び支持部２７の平板部２７ａの上面よりも上方に配置されるように形成されている。
【００３９】
また、図９に示すように、支持部２７の突出部２５に対向する側には、平板部２７ａの板厚方向に貫通すると共に、脚部２７ｂの高さ方向に渡って開口する（図１１，１２参照）略コの字状の開口形状を有する開口部２７ｃが形成されている。
【００４０】
また、図１１に示すように、支持台２２の高さ途中に形成された水平面２２ｃよりも上方に突出する板状の突出部２４が、開口部２７ｃの縁部に対して所定の間隔を空けて、開口部２７ｃの縁部に沿うように形成されている（図９参照）。すなわち、突出部２４は支持部２７の平板部２７ａ、及び脚部２７ｂとの間に所定の間隔が空くように形成されている。
【００４１】
そして、図１１に示すように、突出部２４における、突出部２５に対向する側の面には、略半円球状の突起２４ａが、突出部２５側に向かって突出するように形成されている。
【００４２】
また、図１２に示すように、突出部２４は、開口部２７ｃの縁部に対して所定の間隔を空けて形成されているため、突出部２４を突出部２５とは反対側（図中左側）に撓むように弾性変形させることができるようになっている。
【００４３】
そして、支持台２２の水平面２２ｃから上方に突出する、支持部２７の脚部２７ｂ、突出部２５、及び突出部２４がそれぞれ形成されることにより、水平面２２ｃ、支持部２７の脚部２７ｂ、突出部２４、及び突出部２５により形成された溝部２２ｂ（図１２参照）が、図８中上下左右方向に伸びるように形成されている。
【００４４】
また、２つの支持部２７の間に所定の間隔を空けて配置された押上部２３は、図１３に示すように、支持部２７の平板部２７ａの上面と略同じ高さの上面を有し（図１１参照）、水平面２２ｃと略同一高さの下面を有すると共に、その長さ方向が支持台２２の半径方向（図１３中左右方向）に伸びるように形成された平板部２３ｂを有している。
【００４５】
また、押上部２３は、平板部２３ｂの長さ方向（図１３中左右方向）の所定位置の下面から、支持台２２の本体胴部２２ａの下端部まで下方に伸びると共に、支持台２２の外周面の一部を形成する脚部２３ａを有している（図９参照）。
【００４６】
また、押上部２３には、平板部２３ｂの図１３中左側端部から同図中下方に向かって突出すると共に、その垂直断面形状が略台形状のストッパー２３ｃが形成されている。
【００４７】
押上部２３は一体形成されており、平板部２３ｂと脚部２３ａが連続する部分（脚部２３ａの上端部）の断面積は、所定の面積よりも小さくなるように形成されている。
【００４８】
そのため、図１４中左側に示される押上部２３の平板部２３ｂの図中左端部を上方から押すことにより、平板部２３ｂが脚部２３ａの上端部を支点として、図中反時計回り方向に回動するように、押上部２３を弾性変形しやすくなっている。
【００４９】
そして、平板部２３ｂが脚部２３ａの上端部を支点として、図中反時計回り方向に回動することにより、平板部２３ｂの図中右端部が、フロアパネル２８の高さ寸法（図４参照）よりも上方に持ち上がるようになっている。
【００５０】
また、平板部２３ｂが所定の角度以上に回動した場合に、平板部２３ｂと脚部２３ａが連続する部分（脚部２３ａの上端部）が折れて破断することがないように、押上部２３に形成されたストッパー２３ｃが支持台２２の本体胴部２２ａの外周面に衝突して、平板部２３ｂの回動が停止するようになっている。
【００５１】
そして、図１５に示すように、フロアパネル２８の隅部における、互いに直交する隣り合う２つの側板部２８ｃの長さ方向端部を、支持台２２の図８中上下方向及び左右方向にそれぞれ伸びる、装着するフロアパネル２８の中央部側の２つの溝部２２ｂに図１中上方からそれぞれ嵌入している（図１７参照）。
【００５２】
そして、フロアパネル２８の側板部２８ｃを、支持台２２の溝部２２ｂに嵌入して、天板部２８ｂの上面２８ａの裏面が、支持部２７の平板部２７ａの上面、及び押上部２３の平板部２３ｂの上面に接触することにより、フロアパネル２８は基礎床面６上の所定の高さ位置に支持されている。
【００５３】
また、前述のように、支持台２２の突出部２４には突出部２５側に向かって突出する突起２４ａが形成されているため、フロアパネル２８の側板部２８ｃを、支持台２２の溝部２２ｂに図１８中上方から嵌入する際には、突出部２４の突起２４ａと突出部２５の間の隙間を押し広げることにより、その間の隙間を側板部２８ｃが通過できるようになっている。
【００５４】
すなわち、前述のように、突出部２４の突起２４ａは略半円球状に形成されているため、フロアパネル２８の側板部２８が、支持台２２の溝部２２ｂに嵌入した際に、フロアパネル２８の側板部２８が突起２４ａの傾斜面に衝突して、突出部２４が支持部２７側（図１８中右側）に押圧される。
【００５５】
そして、前述のように、突出部２４と支持部２７の開口部２７ｃの縁部の間には隙間があるため、図１８に示すように、突出部２４が支持部２７側（図中右側）に押圧されることにより、突出部２４が弾性変形して、突出部２４の突起２４ａと、突出部２５の間の隙間が押し広がるようになっている。
【００５６】
そして、フロアパネル２８の側板部２８ｃが、突出部２４の突起２４ａと、突出部２５の間の隙間を通過し、側板部２８ｃの貫通孔２８ｅの同図中上下方向の位置と、突出部２４の突起２４ａの同図中上下方向の位置が一致した際に、弾性変形していた突出部２４が復元して、図１７に示すように、突出部２４の突起２４ａが、側板部２８ｃの貫通孔２８ｅに係合するようになっている。
【００５７】
したがって、フロアパネル２８の側板部２８ｃの貫通孔２８ｅと、支持台２２の突出部２４の突起２４ａが互いに係合することにより、例えば、複数のフロアパネル２８と支持台２２を組み合わせたパネルユニット（図４０参照）を工場から持ち運んでいる途中や、基礎床面６に不陸面が形成されていた場合でも、フロアパネル２８と支持台２２が容易に分離してしまうことを防止することができる。
【００５８】
また、フロアパネル２８の側板部２８ｃを、支持台２２の溝部２２ｂに図１８中上方から嵌入する際には、突出部２４の突起２４ａと突出部２５の間の隙間を押し広げるように、突出部２４を弾性変形させているため、フロアパネル２８の側板部２８ｃを支持台２２の溝部２２ｂに容易に嵌入することができる。
【００５９】
また、図１９，２０に示すように、フロアパネル２８の天板部２８ｂの対角線上の２つの隅部の近くに形成された貫通孔２８ｄ（図３参照）は、フロアパネル２８の上面２８ａ側から貫通孔２８ｄに、例えばドライバ等の棒状部材３０（図２１参照）を挿通して、支持台２２に形成された押上部２３の平板部２３ｂの図２１中左端部に棒状部材３０の先端部を上から押し当てることができる位置に形成されている。
【００６０】
そして、図２１に示すように、フロアパネル２８の上面側から貫通孔２８ｄにドライバ等の棒状部材３０を挿通して、押上部２３の平板部２３ｂの図中左端部に棒状部材３０の先端部を押し当てることにより、平板部２３ｂが脚部２３ａの上端部を支点として、図中反時計回り方向に回動して、平板部２３ｂの図中右端部が上方に持ち上がるようになっている。
【００６１】
そして、押上部２３の平板部２３ｂの図中右端部が上方に持ち上がることにより、平板部２３ｂの上面に接触していたフロアパネル２８の天板部２８ｂ（図２０参照）が、平板部２３ｂにより上方に押圧されて、フロアパネル２８が上方に持ち上がるようになっている。
【００６２】
また、押上部２３によりフロアパネル２８が上方に持ち上げられる力により、天板部２８ｂの貫通孔２８ｅの内周面が、略半円球状の突起２４ａの傾斜面を押圧することにより、突出部２４が支持部２７側に押される。
【００６３】
そして、突出部２４が支持部２７側に押されることにより、突出部２４の突起２４ａと突出部２５の間の隙間が広がるように突出部２４が弾性変形して、フロアパネル２８の側板部２８ｃの貫通孔２８ｅと、突出部２４の突起２４ａとの係合が外れるようになっている。
【００６４】
したがって、フロアパネル２８の上面２８ａ側から貫通孔２８ｄにドライバ等の棒状部材３０を挿通して、押上部２３の平板部２３ｂに棒状部材３０の先端部を押し当てることにより、フロアパネル２８の側板部２８ｃの貫通孔２８ｅと、支持台２２の突出部２４の突起２４ａとの係合が外れて、フロアパネル２８が上方に持ち上がるため、支持台２２の溝部２２ｂに嵌入されたフロアパネル２８を容易に取り外すことができる。
【００６５】
図２２は、本発明の第２の実施の形態に係るフリーアクセスフロア４０について説明するために参照する図である。
【００６６】
本実施の形態に係るフリーアクセスフロア４０は、図２２に示すように、支持台４２の形状が、前記第１の実施の形態に係るフリーアクセスフロア２０における、支持台２２の形状と異なるものである。
【００６７】
すなわち、前記第１の実施の形態に係るフリーアクセスフロア２０においては、図７に示すように、支持台２２が２つの押上部２３を備えていたのに対して、実施の形態に係るフリーアクセスフロア４０においては、図２２に示すように、支持台４２が４つの押上部４３を備えている。
【００６８】
その他の構成は、前記第１の実施の形態に係るフリーアクセスフロア２０と同様である。
【００６９】
このような本実施の形態に係るフリーアクセスフロア４０によっても、前記第１の実施の形態に係るフリーアクセスフロア２０と同様の効果を得ることができる。
【００７０】
図２３〜図３８は、本発明の第３の実施の形態に係るフリーアクセスフロア６０について説明するために参照する図である。
【００７１】
本実施の形態に係るフリーアクセスフロア６０は、図４５〜４７に示す前記従来のフリーアクセスフロア２のフロアパネル８の代わりに、図２４〜２７に示すようなフロアパネル６８を備え、図４２〜４４に示す前記従来のフリーアクセスフロア２の支持台１２の代わりに、図２８〜３４に示すような支持台６２を備えている点において、前記従来のフリーアクセスフロア２と異なるものである。その他の構成は、前記従来のフリーアクセスフロア２と同様である。
【００７２】
フロアパネル６８は、１枚の金属製の板状部材をプレス加工することにより形成されており、図２５に示すように、略正方形の上面６８ａを有する板状に形成された天板部６８ｂと、この天板部６８ｂの四辺より略垂直下方に折曲げられて形成された４つの側板部６８ｃ（図２６，２７参照）を備えて構成されている。
【００７３】
図２５に示すように、フロアパネル６８の４つの隅部それぞれには、天板部６８ｂの板厚方向（図２７中上下方向）に貫通すると共に、その開口形状が略長方形状の貫通孔６８ｄがそれぞれ形成されている。
【００７４】
また、図２７に示すように、フロアパネル６８には、貫通孔６８ｄにおけるフロアパネル６８の外周側（同図中右側）の縁部６８ｉから、天板部６８ｂに対して略平行に伸びる平板部６８ｇと、その平板部６８ｇの図中左端部から図中左斜め下方に伸びるように傾斜する傾斜部６８ｈを有する受板部６８ｆが形成されている（図２５参照）。
【００７５】
支持台６２は、図２８に示すように、その外形形状が略円柱状に形成されており、その上面側には、中心角が略９０度の扇形状の上面を有する板状の支持部６６が、支持台６２の円周方向に互いに間隔を空けて４つ形成されている。
【００７６】
すなわち、支持台６２は、略円筒状の本体胴部６２ｂ（図２８，３２参照）の上端部を、扇形状の上面を有する板状の４つの支持部６６により蓋をしているような形状に形成されている。
【００７７】
また、支持台６２の外周側には、図２８，２９に示すように、支持部６６の板厚方向に貫通する（図３３参照）と共に、本体胴部６２ｂの高さ方向に渡って開口する（図３１，３２参照）、略コの字状の開口形状を有する開口部６２ａが、支持台６２の外周から中央部側に向かって凹むように形成されている。
【００７８】
図２９，３０に示すように、開口部６２ａ内には、略箱状の上端箱部６７ｅ（図３２参照）と、その上端箱部６７ｅの底面から図中下方向に伸びるように形成された板状の脚部６７ｄ（図３２参照）を有する可動部６７が、開口部６２ａの略コの字状の縁部から所定の間隔を空けるように形成されている。
【００７９】
また、可動部６７の脚部６７ｄは、本体胴部６２ｂの下端部から所定の高さ位置まで立設するように形成された板状の基礎板部６２ｇ（図２８参照）の上端部から上方に立ち上るように形成されている。また、基礎板部６２ｇは、図３０に示すように、開口部６２ａの略コの字状の縁部の内の対向する２つの縁部の間を架け渡すように形成されている。
【００８０】
また、図３２，３３に示すように、可動部６７には、脚部６７ｄにおける支持台６２の外周側の側面と、上端箱部６７ｅの底面の間の隅部を埋めるように形成された垂直断面形状が略三角形状の板状の２つの補強リブ６７ｃ（図３１参照）が形成されている。
【００８１】
上端箱部６７ｅは、図３３に示すように、その底面を形成する底板部６７ｇと、その側面を形成する外周板部６７ｆ，側板部６７ｈ，押上部６７ｂ（押上手段）を備えることにより、内部に内部空間６９を有する箱状に形成されている。
【００８２】
図３０に示すように、外周板部６７ｆは、上端箱部６７ｅにおける支持台６２の外周側の側面を形成し、押上部６７ｂは、上端箱部６７ｅにおける支持台６２の中央側の側面を形成し、側板部６７ｈは、上端箱部６７ｅにおける支持台６２の半径方向に平行に伸びる２つの側面を形成している。
【００８３】
図３３に示すように、押上部６７ｂの上面６７ｉ、及び側板部６７ｈの上面は、支持部６６の上面６６ｂと略同じ高さ位置となるように形成され、外周板部６７ｆの上面は、支持部６６の上面６６ｂよりも上方に突出するように形成されている。
【００８４】
可動部６７は、開口部６２ａの縁部から所定の間隔を空けるように形成され、開口部６２ａは、支持台６２の外周側に開口しているため、図３４に示すように、上端箱部６７ｅの外周板部６７ｆに図中下方に向かって力を加えて、可動部６７を弾性変形させることにより、上端箱部６７ｅを同図中左下側に傾かせることができる。
【００８５】
また、図２９に示すように、支持台６２の円周方向に互いに間隔を空けて形成された４つの支持部６６間には、略長方形状の垂直断面形状を有する突出部６５が、支持台６２の高さ途中に形成された水平面６２ｃ（図３１参照）から、支持部６６の上面６６ｂと略同じ高さ位置まで上方に突出するように形成されている。
【００８６】
そして、突出部６５が形成されることにより、図３１に示すように、水平面６２ｃ、突出部６５、支持部６６の突出部６５に対向する側面、及び本体胴部６２ａの突出部６５に対向する面６２ｆにより形成された溝部６２ｅが、図２９中上下左右方向に伸びるように合計８つ形成されている。
【００８７】
また、前述のように、フロアパネル６８の天板部６８ｂの４つの隅部には、その板厚方向に貫通する貫通孔６８ｄと、フロアパネル６８の上面６８ａの裏面よりも下方に突出する受板部６８ｆ（図２７参照）がそれぞれ形成され、支持台６２には、支持部６６の上面６６ｂよりも上方に突出する外周板部６７ｆ（図３３参照）を有する上端箱部６７ｅが４つ形成されている。
【００８８】
そのため、図３６に示すように、フロアパネル６８の側板部６８ｃを、支持台６２の溝部６２ｅに嵌入して、天板部６８ｂの上面６８ａの裏面を、支持部６６の上面６６ｂに接触させる際には、図３７に示すように、天板部６８ｂの上面６８ａの裏面よりも下方に突出する受板部６８ｆの傾斜部６８ｈを上端箱部６７ｅの内部空間６９内に収納すると共に、支持部６６の上面６６ｂよりも上方に突出する外周板部６７ｆをフロアパネル６８の貫通孔６８ｄ内に挿入するようになっている。
【００８９】
また、図３８に示すように、フロアパネル６８を支持台６２から取り外す際には、ドライバ等の棒状部材７０をフロアパネル６８の貫通孔６８ｄに挿通し、可動部６７の上端箱部６７ｅの外周板部６７ｆに上方から力を加えて、支持台６２の外周側（図中左側）に撓むように可動部６７を弾性変形させることにより、フロアパネル６８が上方に持ち上げられるようになっている。
【００９０】
すなわち、支持台６２の外周側に撓むように可動部６７を弾性変形させることにより、支持台６２の押上部６７ｂの上面６７ｉ（図３３参照）が、上端箱部６７ｅの内部空間６９内に配置された受板部６８ｆの傾斜部６８ｈの下面に接触し、押上部６７ｂが支持台６２の外周側（図３８中左側）に移動することにより、受板部６８ｆの傾斜部６８ｈが押上部６７ｂにより押圧されて、フロアパネル６８が上方に持ち上げられるようになっている。
【００９１】
このように、フロアパネル６８の上面６８ａ側から、支持台６２の上端箱部６７ｅの外周板部６７ｆに対して力を加えることにより、フロアパネル６８が上方へ持ち上げられるようになっているため、支持台６２の溝部６２ｅに嵌入されたフロアパネル６８を容易に取り外すことができる。
【００９２】
このような本実施の形態に係るフリーアクセスフロア６０によっても、前記第１の実施の形態に係るフリーアクセスフロア２０と同様の効果を得ることができる。
【００９３】
図３９は、本発明の第４の実施の形態に係るフリーアクセスフロア８０について説明するために参照する図である。
【００９４】
前記第１の実施の形態に係るフリーアクセスフロア２０のフロアパネル２８は、図１に示すように、略正方形の上面２８ａを有する板状に形成された天板部２８ｂを備えていたのに対して、本実施の形態に係るフリーアクセスフロア８０のフロアパネル８８は、図３９に示すように、略長方形の上面８８ａを有する板状に形成された天板部８８ｂを備えている。
【００９５】
その他の構成は、前記第１の実施の形態に係るフリーアクセスフロア２０と同様である。
【００９６】
このような本実施の形態に係るフリーアクセスフロア８０によっても、前記第１の実施の形態に係るフリーアクセスフロア２０と同様の効果を得ることができる。
【００９７】
なお、本発明は、前記実施の形態にのみ限定されるものではなく、本発明の目的を達成することができる範囲内であれば、フリーアクセスフロアの種々の変更が可能である。
【００９８】
例えば、前記第１の実施の形態に係るフリーアクセスフロア２０においては、図１７に示すように、支持台２２の突出部２４に突起２４ａが形成され、その突起２４ａとフロアパネル２８の側板部２８ｃの貫通孔２８ｅが係合するようになっていたが、このような構成に限定される必要はなく、フロアパネル２８と支持台２２が係合する機構を設けなくてもよい。
【００９９】
また、前記第３の実施の形態に係るフリーアクセスフロア６０においては、図２３に示すように、フロアパネル６８と支持台６２が互いに係合する機構が設けられていなかったが、このような構成に限定される必要はなく、フロアパネル６８と支持台６２が互いに係合する機構が設けられていてもよい。
【０１００】
また、前記第１の実施の形態に係るフリーアクセスフロア２０においては、図１４に示すように、支持台２２の本体胴部２２ａの外周面を形成するように、押上部２３の脚部２３ａが配置されていたが、このような構成に限定される必要はなく、脚部２３ａが図１４に示される位置よりも支持台２２の中央側に配置されていてもよい。
【０１０１】
また、前記第１〜３の実施の形態に係るフリーアクセスフロア２０，４０，６０においては、フロアパネルが支持台に対して自動的に持ち上がる機構が、図４０に示すようなオフィスルーム等の部屋の床部に敷設されるフリーアクセスフロアに適用されていたが、この機構が他の種類のフリーアクセスフロアに適用されていてもよい。
【符号の説明】
【０１０２】
２  フリーアクセスフロア
４  パネルユニット
６  基礎床面
８  フロアパネル
８ａ  上面
８ｂ  天板部
８ｃ  側板部
８ｄ  長溝部
８ｅ  開口部
９  フロアパネル
１０  支持台ユニット
１２  支持台
１２ａ  上端面
１２ｂ  溝部
１４  支持部
１６  連結部
２０  フリーアクセスフロア
２２  支持台
２２ａ  本体胴部
２２ｂ  溝部
２２ｃ  水平面
２３  押上部
２４  突出部
２４ａ  凸部
２３ａ  脚部
２３ｂ  平板部
２３ｃ  ストッパー
２５  突出部
２６  支持部
２６ａ  平板部
２６ｂ  脚部
２７  支持部
２７ａ  平板部
２７ｂ  脚部
２７ｃ  開口部
２８  フロアパネル
２８ａ  上面
２８ｂ  天板部
２８ｃ  側板部
２８ｄ  貫通孔
２８ｅ  貫通孔
３０  棒状部材
４０  フリーアクセスフロア
４２  支持台
４３  押上部
４４  突出部
４７  支持部
６０  フリーアクセスフロア
６２  支持台
６２ａ  開口部
６２ｂ  本体胴部
６２ｃ  水平面
６２ｅ  溝部
６２ｆ  面
６２ｇ  基礎板部
６５  突出部
６６  支持部
６６ｂ  上面
６７  可動部
６７ｂ  押上部
６７ｃ  補強リブ
６７ｄ  脚部
６７ｅ  上端箱部
６７ｆ  外周板部
６７ｇ  底板部
６７ｈ  側板部
６７ｉ  上面
６８  フロアパネル
６８ａ  上面
６８ｂ  天板部
６８ｃ  側板部
６８ｄ  貫通孔
６８ｆ  受板部
６８ｇ  平板部
６８ｈ  傾斜部
６８ｉ  縁部
６８ｊ  平板部
６９  内部空間
７０  棒状部材
８０  フリーアクセスフロア
８８  フロアパネル
８８ａ  上面
８８ｂ  天板部
８８ｃ  側板部
８８ｄ  貫通孔
Ｌ１  短辺
Ｌ２  長辺
【図１】
0006619579.tif 000002
【図２】
0006619579.tif 000003
【図３】
0006619579.tif 000004
【図４】
0006619579.tif 000005
【図５】
0006619579.tif 000006
【図６】
0006619579.tif 000007
【図７】
0006619579.tif 000008
【図８】
0006619579.tif 000009
【図９】
0006619579.tif 000010
【図１０】
0006619579.tif 000011
【図１１】
0006619579.tif 000012
【図１２】
0006619579.tif 000013
【図１３】
0006619579.tif 000014
【図１４】
0006619579.tif 000015
【図１５】
0006619579.tif 000016
【図１６】
0006619579.tif 000017
【図１７】
0006619579.tif 000018
【図１８】
0006619579.tif 000019
【図１９】
0006619579.tif 000020
【図２０】
0006619579.tif 000021
【図２１】
0006619579.tif 000022
【図２２】
0006619579.tif 000023
【図２３】
0006619579.tif 000024
【図２４】
0006619579.tif 000025
【図２５】
0006619579.tif 000026
【図２６】
0006619579.tif 000027
【図２７】
0006619579.tif 000028
【図２８】
0006619579.tif 000029
【図２９】
0006619579.tif 000030
【図３０】
0006619579.tif 000031
【図３１】
0006619579.tif 000032
【図３２】
0006619579.tif 000033
【図３３】
0006619579.tif 000034
【図３４】
0006619579.tif 000035
【図３５】
0006619579.tif 000036
【図３６】
0006619579.tif 000037
【図３７】
0006619579.tif 000038
【図３８】
0006619579.tif 000039
【図３９】
0006619579.tif 000040
【図４０】
0006619579.tif 000041
【図４１】
0006619579.tif 000042
【図４２】
0006619579.tif 000043
【図４３】
0006619579.tif 000044
【図４４】
0006619579.tif 000045
【図４５】
0006619579.tif 000046
【図４６】
0006619579.tif 000047
【図４７】
0006619579.tif 000048
【図４８】
0006619579.tif 000049